(57)【要約】【課題】受光部の最適な受光範囲を拡大させることができる空気調和機を提供すること。【解決手段】光信号を送信可能なワイヤレスリモコンと、前記ワイヤレスリモコンからの前記光信号を受光可能な受光部を有する室内機とを備え、  前記室内機は、吹出口を有する筐体を具備し、前記受光部は、前記筐体における前記吹出口の周囲部にスライド可能に設けられたことを特徴とする空気調和機。【選択図】図１
2019168165.tif 000002
【特許請求の範囲】
【請求項１】
光信号を送信可能なワイヤレスリモコンと、前記ワイヤレスリモコンからの前記光信号を受光可能な受光部を有する室内機とを備え、
前記室内機は、吹出口を有する筐体を具備し、
前記受光部は、前記筐体における前記吹出口の周囲部にスライド可能に設けられたことを特徴とする空気調和機。
【請求項２】
前記室内機は、前記吹出口に回動可能に設けられたルーバーを有し、
前記受光部は、回動する前記ルーバーの先端部に干渉されないよう前記ワイヤレスリモコンからの前記光信号を受光しやすい方向にスライド可能である請求項１に記載の空気調和機。
【請求項３】
受光部をスライドさせるスライド機構部をさらに備えた請求項１または２に記載の空気調和機。
【請求項４】
前記スライド機構部が、前記受光部を前記ルーバーと連動可能にスライドさせるように構成された請求項３に記載の空気調和機。
【請求項５】
前記筐体は、底板部を有し、
前記底板部は、前記筐体が取り付けられる部屋の垂直壁と略垂直な奥板部と、前記奥板部と前記前板部との間に前方斜め下へ面するように設けられた傾斜板部とを有し、
前記吹出口および前記受光部は、前記傾斜板部に配置され、
前記受光部は、前記吹出口の右側位置または左側位置で前記傾斜板部に沿ってスライド可能である請求項１〜４のいずれか１つに記載の空気調和機。
【請求項６】
前記受光部は、上下方向および前後方向を含む斜め方向にスライド可能である請求項１〜５のいずれか１つに記載の空気調和機。
【請求項７】
前記受光部は、左右方向にスライド可能である請求項１〜５のいずれか１つに記載の空気調和機。
【請求項８】
前記受光部は、円弧方向にスライド可能である請求項１〜５のいずれか１つに記載の空気調和機。
【発明の詳細な説明】
【技術分野】
【０００１】
本発明は、空気調和機に関し、詳しくは、ワイヤレスリモコンにて制御可能な空気調和機に関する。
【背景技術】
【０００２】
ワイヤレスリモコン（以下「リモコン」と略称する場合がある）にて制御可能な従来の空気調和機の室内機として、例えば特許文献１では、前面パネルにおける空気吹出し口の横に受光部を回動可能に設けて受光部の向きを手動で変えることができる構造が提案されている。これによれば、部屋のどの位置からでもリモコン操作をすることができるとされている。
【先行技術文献】
【特許文献】
【０００３】
【特許文献１】特開平６−２６１００４号公報
【発明の概要】
【発明が解決しようとする課題】
【０００４】
特許文献１では、空気吹出し口にルーバー（上下風向板）が設けられた実施形態について言及されておらず、空気吹出し口にルーバーが設けられた場合、開閉動作するルーバーの向きによってはルーバーが邪魔となってリモコンからの赤外線信号を受光部が受光できず、任意のリモコン操作ができない状況が発生するおそれがある。
【０００５】
本発明は、このような課題に鑑みなされたものであり、受光部の最適な受光範囲を拡大させることができる空気調和機を提供することを目的とする。
【課題を解決するための手段】
【０００６】
かくして、本発明によれば、光信号を送信可能なワイヤレスリモコンと、前記ワイヤレスリモコンからの前記光信号を受光可能な受光部を有する室内機とを備え、
前記室内機は、吹出口を有する筐体を具備し、
前記受光部は、前記筐体における前記吹出口の周囲部にスライド可能に設けられた空気調和機が提供される。
【発明の効果】
【０００７】
本発明は次の効果を奏する。
(I)リモコン送受信にとってより最適な受光部位置を設定することができる。
(II)ルーバー（上下風向板）、左右風向板といった被制御部品、無線ＬＡＮユニットやイオン発生装置といった付属部品等の影響をより受けにくい位置に受光部を移動させることができる。
(III)使用者の部屋における室内機の設置位置に応じて、受光部をより最適な位置に移動させることができる。
(IV)静電気やノイズの影響を受けにくい位置に受光部を移動させることができる。
(V)サービスマンが受光部を交換する際は、取り外しおよび付け替えしやすい位置に受光部を移動させることができる。
(VI)リモコンの電池寿命が短くなって送受信距離が短くなった場合、受光部をリモコン（使用者）に近い位置へ移動させることができる。
(VII)受光部が頻繁に移動することによって、受光部が塵埃によって覆われて受光強度が弱くなるという不具合を防止することができる。また、受光部が塵埃によって覆われにくくなるよう、吹出口から出る風に当たる位置に受光部を移動させることも可能である。
【図面の簡単な説明】
【０００８】
【図１】本発明の空気調和機の室内機（実施形態１）を示す正面図である。
【図２】図１の室内機の内部構造を示す概略右側断面図である。
【図３】実施形態１の室内機におけるスライド機構を示す構成図である。
【図４】実施形態１の室内機のルーバーが開いた状態を示す正面図である。
【図５】図４の室内機の内部構造を示す概略右側断面図である。
【図６】実施形態２の室内機を示す正面図である。
【図７】実施形態２の室内機のルーバーが開いた状態を示す正面図である。
【図８】実施形態２の室内機におけるスライド機構を示す構成図である。
【図９】実施形態３の室内機を示す正面図である。
【図１０】実施形態３の室内機のルーバーが開いた状態を示す正面図である。
【図１１】実施形態３の室内機におけるスライド機構を示す構成図である。
【発明を実施するための形態】
【０００９】
（実施形態１）
図１は本発明の空気調和機の室内機（実施形態１）を示す正面図であり、図２は図１の室内機の内部構造を示す概略右側断面図である。また、図３は実施形態１の室内機におけるスライド機構を示す構成図であり、図４は実施形態１の室内機のルーバーが開いた状態を示す正面図であり、図５は図４の室内機の内部構造を示す概略右側断面図である。
【００１０】
図１〜図３に示すように、実施形態１の空気調和機は、光信号（例えば赤外線信号）を送受信可能なワイヤレスリモコン（不図示）と、ワイヤレスリモコンからの光信号を受光可能な受光部１３および上下方向に回動可能なルーバー１７を有する室内機１とを備える。
【００１１】
この室内機１は、開閉可能な前板部（前面パネル）１０ａ、左右側板部１０ｂ、１０ｃ、後板部１０ｄ、底板部１０ｅおよび天枠部１０ｆを含む筐体１０と、筐体１０の内部に設けられた送風ファン１１、送風ファン１１を回転させるファンモータ（不図示）、熱交換器１２、制御回路基板（不図示）、受光素子１３ａを有する前記受光部１３、受光部１３をスライド移動させるスライド機構部１４、天枠部１０ｆの内側に着脱可能に取り付けられたメッシュ部材１５、イオン発生装置１６、電源コード（不図示）等を備える。
なお、実施形態１の場合、ファンモータ、熱交換器１２、制御回路基板（制御マイコン）、受光部１３、スライド機構部１４および電源コードは、筐体１０の右側板１０ｃ側に配置されている。
【００１２】
筐体１０において、底板部１０ｅは、筐体１０が取り付けられる部屋の垂直壁Ｗと略垂直な奥板部１０ｅ1と、奥板部１０ｅ1と前板部１０ａとの間に前方斜め下へ面するように設けられた傾斜板部１０ｅ2とを有する。
傾斜板部１０ｅ2には吹出口１０ｅ21が設けられると共に、吹出口１０ｅ21にルーバー１７が水平な回動軸Ｐ（図３）を中心に回動可能に設けられている。なお、実施形態１の場合、吹出口１０ｅ21の奥にも中型のルーバー１８および小型のルーバー１９が水平軸心を中心に回動可能に設けられており、これらのルーバー１７、１８、１９は、後述するスライド機構１４によって受光部１３と連動する。
また、筐体１０の傾斜板部１０ｅ2における吹出口１０ｅ21の右横には、上下方向および前後方向を含む斜め方向に受光部１３をスライドさせるガイド溝１０ｅ22が設けられている。
【００１３】
受光部１３は、筐体１０のガイド溝１０ｅ22にスライド可能に取り付けられた四角形のスライド板１３ｂと、スライド板１３ｂに固定された受光素子１３ａと、筐体１０内のガイド溝１０ｅ22の近傍に設けられた回路基板（不図示）とを有し、回路基板と受光素子１３ａとは図示しないリード線にて電気的に接続されている。
また、スライド板１３ｂは、スライド機構部１４の後述するラック部材に接合部材（不図示）を介して接合されている。なお、ガイド溝１０ｅ22の底部には接合部材を挿通させるスリット１０ｅ23が形成されている。
【００１４】
図３に示すように、実施形態１におけるスライド機構部１４は、ルーバー１７と受光部１３とが連動する連動機構であり、正逆回転可能なモータ１４ａと、モータ１４ａの回転方向の力を直進方向の力に変換する回転力伝達変換部１４ｂとを備える。
【００１５】
実施形態１の場合、回転力変換部１４ｂは、モータ１４ａの出力軸１４ａ1およびルーバー１７の回動軸Ｐに取り付けられた一対のプーリ１４ｂ1と、一対のプーリ１４ｂ1に張架されたタイミングベルト１４ｂ2と、回動軸Ｐの先端部に取り付けられた第１ギア１４ｂ3と、第１ギア１４ｂ3と噛合する回動軸Ｐと平行な細長い第２ギア（ピニオン）１４ｂ4と、斜め方向にスライド可能なように第２ギア１４ｂ4と噛合する回動軸Ｐと垂直方向の第３ギア（ラック）１４ｂ5とを備えてなり、第３ギア１４ｂ5に受光部１３のスライド板１３ｂが接合されている。なお、図３で示した一対のプーリ１４ｂ1およびタイミングベルト１４ｂ2は、複数のギアに変更してもよい。
【００１６】
このスライド機構部１４によれば、モータ１４ａの出力軸１４ａ1の回転力は、一対のプーリ１４ｂ1およびタイミングベルト１４ｂ2を介してルーバー１７の回動軸Ｐに伝達され、回動軸Ｐから第１および第２ギア１４ｂ3、１４ｂ4を介して第３ギア１４ｂ5に伝達される。これにより、図３〜図５に示すように、回動軸Ｐが矢印Ａ方向に回動するとルーバー１７が開くと同時に、受光部１３が前方へ向かって上昇する方向（矢印Ｂ方向）にスライドする。また、モータ１４ａの出力軸１４ａ1が逆回転すればルーバー１７および受光部１３は逆方向に連動する。
【００１７】
なお、図３では中型のルーバー１８および小型のルーバー１９を図示省略しているが、これらのルーバー１８、１９も、図示しないプーリ、タイミングベルト、ギア等を含む回転力伝達機構を介してモータ１４ａからの回転力が伝達されてルーバー１７と連動する。
【００１８】
このように構成されたスライド機構部１４を備えた実施形態１の室内機１によれば、図１と図２に示すように、ルーバー１７の先端部が略水平状態まで上昇しているとき、受光部１３は最も後方の下降位置（初期位置）にあり、この状態では、室内機１の左斜め下方位置からリモコン操作しても、リモコンからの赤外線信号をルーバー１７が遮らないため受光部１３の受光素子１３ａにて受光することができる。なお、空気調和機の停止時、冷房開始時、スイングするルーバー１７の上昇時等の際に、ルーバー１７の先端部が略水平状態まで上昇する。
【００１９】
また、図４と図５に示すように、ルーバー１７の先端部が前方へ向かって斜め下方に下降しているとき、受光部１３は最も前方の上昇位置にあり、この状態でも、室内機１の左斜め下方位置からリモコン操作しても、リモコンからの赤外線信号をルーバー１７が遮らないため受光部１３の受光素子１３ａにて受光することができる。また、受光部１３が上昇位置に移動すると、室内機１の左斜め下方位置に居る使用者が持つリモコンからの距離が幾分近くなるため、運転中の室内機１のリモコン操作に有利となる。なお、空気調和機の暖房開始時、スイングするルーバー１７の下降時などの際に、ルーバー１７の先端部が前方へ向かって斜め下方に下降する。
【００２０】
また、ルーバー１７が上下方向に繰り返しスイングする際は、受光部１３もガイド溝１０ｅ22に沿って昇降移動を繰り返す。このとき、ルーバー１７と受光部１３の移動中に受光素子１３ａがルーバー１７の右側端部にて瞬間的に隠れることがあったとしてもリモコン操作に支障はない。
このように、実施形態１の室内機１によれば、回動するルーバー１７の先端部に干渉されないようワイヤレスリモコンからの光信号を受光しやすい方向に受光部１３が連動して上下方向および前後方向を含む斜め方向にスライドする。
【００２１】
（実施形態２）
図６は実施形態２の室内機を示す正面図であり、図７は実施形態２の室内機のルーバーが開いた状態を示す正面図であり、図８は実施形態２の室内機におけるスライド機構を示す構成図である。なお、図６〜図８において、図１〜図３中の要素と同様の要素には同一の符号を付している。
実施形態２の室内機１０１は、受光部１３をスライドさせるスライド機構部１１４および受光部１３のスライド方向が実施形態１とは異なる以外は、概ね実施形態１と同様に構成されている。
【００２２】
実施形態２の場合、筐体１１０の底板部１１０ｅの傾斜板部１１０ｅ2における吹出口１０ｅ21の右横上部に、左右方向に長いガイド溝１１０ｅ22が形成されると共に、ガイド溝１１０ｅ22に沿って左右方向にスライド可能に受光部１３のスライド板１３ｂが取り付けられている。なお、ガイド溝１１０ｅ22の底部には左右方向のスリット１１０ｅ23が形成されている。
図８に示すように、実施形態２におけるスライド機構部１１４も、ルーバー１７と受光部１３とが連動する連動機構であり、正逆回転可能なモータ１４ａと、モータ１４ａの回転方向の力を直進方向の力に変換する回転力伝達変換部１１４ｂとを備える。
【００２３】
実施形態２の場合、回転力変換部１１４ｂは、モータ１４ａの出力軸１４ａ1とルーバー１７の回動軸Ｐとを連結する連結具１１４ｂ1と、回動軸Ｐに取り付けられた第１ギア（かさ歯車）１１４ｂ2と、第１ギア１１４ｂ2と噛合する第２ギア（かさ歯車）１１４ｂ3と、第３ギア１１４ｂ4（ピニオン）と、第２ギア１１４ｂ3と第３ギア１１４ｂ4とを連結する回動軸Ｐと垂直方向の連結軸１１４ｂ5と、左右方向にスライド可能なように第３ギア１１４ｂ4と噛合する回動軸Ｐと平行な第４ギア（ラック）１１４ｂ6とを備えてなり、第４ギア１４ｂ6に受光部１３のスライド板１３ｂが接合されている。
【００２４】
このスライド機構部１４によれば、モータ１４ａの出力軸１４ａ1の回転力は、連結具１１４ｂ1を介してルーバー１７の回動軸Ｐに伝達され、回動軸Ｐから第１ギア１１４ｂ2、第２ギア１１４ｂ3、連結軸１１４ｂ5および第３ギア１１４ｂ4を介して第４ギア１１４ｂ6に伝達される。これにより、図７と図８に示すように、回動軸Ｐが矢印Ａ方向に回動するとルーバー１７が開くと同時に、受光部１３が左方向（矢印Ｃ方向）にスライドする。また、モータ１４ａの出力軸１４ａ1が逆回転すればルーバー１７および受光部１３は逆方向に連動する。
【００２５】
なお、図８では中型のルーバー１８および小型のルーバー１９（図２）を図示省略しているが、これらのルーバー１８、１９も、図示しないプーリ、タイミングベルト、ギア等を含む回転力伝達機構を介してモータ１４ａからの回転力が伝達されてルーバー１７と連動する。
【００２６】
このように構成されたスライド機構部１１４を備えた実施形態２の室内機１０１によれば、図６に示すように、ルーバー１７の先端部が略水平状態まで上昇しているとき、受光部１３は最も右位置（初期位置）にあり、この状態では、室内機１０１の左斜め下方位置からリモコン操作しても、リモコンからの赤外線信号をルーバー１７が遮らないため受光部１３の受光素子１３ａにて受光することができる。
【００２７】
また、図７に示すように、ルーバー１７の先端部が前方へ向かって斜め下方に下降しているとき、受光部１３は最も左位置にあり、この状態でも、室内機１０１の左斜め下方位置からリモコン操作しても、リモコンからの赤外線信号をルーバー１７が遮らないため受光部１３の受光素子１３ａにて受光することができる。また、受光部１３が最も左位置に移動すると、室内機１０１の左斜め下方位置に居る使用者が持つリモコンからの距離が幾分近くなるため、運転中の室内機１０１のリモコン操作に有利となる。
【００２８】
また、ルーバー１７が上下方向に繰り返しスイングする際は、受光部１３もガイド溝１１０ｅ22に沿って左右往復移動を繰り返す。このとき、ルーバー１７と受光部１３の移動中に受光素子１３ａがルーバー１７の右側端部にて瞬間的に隠れることがあったとしてもリモコン操作に支障はない。
このように、実施形態２の室内機１０１によれば、回動するルーバー１７の先端部に干渉されないようワイヤレスリモコンからの光信号を受光しやすい方向に受光部１３が連動して左右方向にスライドする。
【００２９】
（実施形態３）
図９は実施形態３の室内機を示す正面図であり、図１０は実施形態３の室内機のルーバーが開いた状態を示す正面図であり、図１１は実施形態３の室内機におけるスライド機構を示す構成図である。なお、図９〜図１１において、図１〜図３中の要素と同様の要素には同一の符号を付している。
実施形態３の室内機２０１も、受光部２１３をスライドさせるスライド機構部２１４および受光部２１３のスライド方向が実施形態１とは異なる以外は、概ね実施形態１と同様に構成されている。
【００３０】
実施形態３の場合、筐体２１０の底板部２１０ｅの傾斜板部２１０ｅ2における吹出口１０ｅ21の右横上部に、円弧形状のガイド溝２１０ｅ22が形成されると共に、ガイド溝２１０ｅ22に沿って円弧方向にスライド可能に受光部２１３の円弧形状のスライド板２１３ｂが取り付けられている。なお、ガイド溝２１０ｅ22の底部には円弧方向のスリット２１０ｅ23が形成されている。
図１１に示すように、実施形態３におけるスライド機構部２１４も、ルーバー１７と受光部２１３とが連動する連動機構であり、正逆回転可能なモータ１４ａと、モータ１４ａの回転方向の力を円弧方向の力に変換する回転力伝達変換部２１４ｂとを備える。
【００３１】
実施形態３の場合、回転力変換部２１４ｂは、モータ１４ａの出力軸１４ａ1とルーバー１７の回動軸Ｐとを連結する連結具２１４ｂ1と、回動軸Ｐに取り付けられた第１ギア（かさ歯車）２１４ｂ2と、第１ギア２１４ｂ2と噛合する第２ギア（かさ歯車）２１４ｂ3と、第３ギア２１４ｂ4（ピニオン）と、第２ギア２１４ｂ3と第３ギア２１４ｂ4とを連結する回動軸Ｐに対して所定角度θで傾斜する連結軸２１４ｂ5と、円弧方向にスライド可能なように第３ギア２１４ｂ4と噛合する円弧形状の第４ギア（ラック）２１４ｂ6とを備えてなり、第４ギア２４ｂ6に受光部２１３のスライド板２１３ｂが接合されている。なお、実施形態３の場合、回動軸Ｐに対する連結軸２１４ｂ5の所定角度θは約４５°となっている。
【００３２】
このスライド機構部２１４によれば、モータ１４ａの出力軸１４ａ1の回転力は、連結具２１４ｂ1を介してルーバー１７の回動軸Ｐに伝達され、回動軸Ｐから第１ギア２１４ｂ2、第２ギア２１４ｂ3、連結軸２１４ｂ5および第３ギア２１４ｂ4を介して第４ギア２１４ｂ6に伝達される。これにより、図１０と図１１に示すように、回動軸Ｐが矢印Ａ方向に回動するとルーバー１７が開くと同時に、受光部２１３が左上円弧方向（矢印Ｄ方向）にスライドする。また、モータ１４ａの出力軸１４ａ1が逆回転すればルーバー１７および受光部１３は逆方向に連動する。
【００３３】
なお、図１１では中型のルーバー１８および小型のルーバー１９（図２）を図示省略しているが、これらのルーバー１８、１９も、図示しないプーリ、タイミングベルト、ギア等を含む回転力伝達機構を介してモータ１４ａからの回転力が伝達されてルーバー１７と連動する。
【００３４】
このように構成されたスライド機構部２１４を備えた実施形態３の室内機２０１によれば、図９に示すように、ルーバー１７の先端部が略水平状態まで上昇しているとき、受光部２１３は右下位置（初期位置）にあり、この状態では、室内機２０１の左斜め下方位置からリモコン操作しても、リモコンからの赤外線信号をルーバー１７が遮らないため受光部２１３の受光素子１３ａにて受光することができる。
【００３５】
また、図１０に示すように、ルーバー１７の先端部が前方へ向かって斜め下方に下降しているとき、受光部２１３は左上位置にあり、この状態でも、室内機１の左斜め下方位置からリモコン操作しても、リモコンからの赤外線信号をルーバー１７が遮らないため受光部２１３の受光素子１３ａにて受光することができる。また、受光部２１３が左上位置に移動すると、室内機２０１の左斜め下方位置に居る使用者が持つリモコンからの距離が幾分近くなるため、運転中の室内機２０１のリモコン操作に有利となる。
【００３６】
また、ルーバー１７が上下方向に繰り返しスイングする際は、受光部２１３もガイド溝２１０ｅ22に沿って円弧往復移動を繰り返す。このとき、ルーバー１７と受光部２１３の移動中に受光素子１３ａがルーバー１７の右側端部にて瞬間的に隠れることがあったとしてもリモコン操作に支障はない。
このように、実施形態３の室内機２０１によれば、回動するルーバー１７の先端部に干渉されないようワイヤレスリモコンからの光信号を受光しやすい方向に受光部２１３が連動して円弧方向にスライドする。
【００３７】
（他の実施形態）
１．実施形態１〜３ではスライド機構部によってルーバーと受光部が連動する場合を例示したが、スライド機構部は受光部のみをスライドさせ、ルーバーは専用のルーバーモータによって回動するように室内機が構成されてもよい。この場合、ルーバーの動きに応じて受光部が受光に最適な位置に移動するよう制御すればよく、リモコン伝達距離や指向性が最適な位置に受光部を移動させるよう制御マイコン内に位置データを設定すればよい。この構成によれば、スライド機構を簡素化したラック・ピニオン機構にて構成することができる。
【００３８】
２．実施形態１〜３では筐体の底板部の傾斜板部に受光部がスライド可能に設けられた場合を例示したが、筐体は直方体形であってもよい。この場合、吹出口は筐体の前板部の下部に設けられ、かつ受光部は前板部における吹出口の横に上下方向、左右方向または円弧方向にスライド可能に設けられてもよい。
【００３９】
３．受光部をスライドさせるスライド機構部を省略し、受光部を手動でスライドさせるようにしてもよい。この場合、室内機を部屋に設置する際に、部屋における室内機の設置位置、リモコン伝達距離や指向性、静電気やノイズの影響等を考慮してサービスマンが受光部を最適な位置に移動させておけばよい。なお、この構成は、ルーバーを有さない室内機に好適である。
【００４０】
（まとめ）
本発明の空気調和機によれば、光信号を送信可能なワイヤレスリモコンと、前記ワイヤレスリモコンからの前記光信号を受光可能な受光部を有する室内機とを備え、
前記室内機は、吹出口を有する筐体を具備し、
前記受光部は、前記筐体における前記吹出口の周囲部にスライド可能に設けられている。
【００４１】
本発明の空気調和機は、次のように構成されてもよく、それらが適宜組み合わされてもよい。
（１）前記室内機は、前記吹出口に回動可能に設けられたルーバーを有し、
前記受光部は、回動する前記ルーバーの先端部に干渉されないよう前記ワイヤレスリモコンからの前記光信号を受光しやすい方向にスライド可能であってもよい。
この構成によれば、特に、大型のルーバーを有する室内機に好適である。
【００４２】
（２）受光部をスライドさせるスライド機構部をさらに備えてもよい。
この構成によれば、リモコン操作によって自動的に受光部を受光しやすい最適な位置に移動させることができる。
【００４３】
（３）前記スライド機構部が、前記受光部を前記ルーバーと連動可能にスライドさせるように構成されてもよい。
この構成によれば、開閉動作するルーバーによって受光が妨げられない受光に最適な位置へ自動的に受光部を移動させることができる。
【００４４】
（４）前記筐体は、底板部を有し、
前記底板部は、前記筐体が取り付けられる部屋の垂直壁と略垂直な奥板部と、前記奥板部と前記前板部との間に前方斜め下へ面するように設けられた傾斜板部とを有し、
前記吹出口および前記受光部は、前記傾斜板部に配置され、
前記受光部は、前記吹出口の右側位置または左側位置で前記傾斜板部に沿ってスライド可能であってもよい。
この構成によれば、受光部が前方斜め下方に向くため、部屋内の室内機よりも下に居る使用者のリモコン操作を受光部にて受信しやすくなる。
【００４５】
（５）前記受光部は、上下方向および前後方向を含む斜め方向にスライド可能であってもよい。
この構成によれば、開閉動作するルーバーによって受光が妨げられない前方上方位置または後方下方位置へ受光部を移動させることができる。
【００４６】
（６）前記受光部は、左右方向にスライド可能であってもよい。
この構成によれば、例えば、受光部が吹出口の右側に配置され、かつ室内機が部屋の隅に配置されて右側に壁が近接している場合に、受光部がより受光しやすくなるように右隣の壁から遠ざける左方向（使用者が持つリモコンに近づく左方向）に受光部を移動させることができる。
【００４７】
（７）前記受光部は、円弧方向にスライド可能であってもよい。
この構成によれば、受光部を吹出口の横から上へまたは上から横へ円弧方向にスライドさせることができる。
【００４８】
なお、開示された実施の形態は、全ての点で例示であって制限的なものではないと考えられるべきである。本発明の範囲は上述の説明ではなくて特許請求の範囲によって示され、特許請求の範囲と均等の意味及び範囲内での全ての変更が含まれることが意図される。
【符号の説明】
【００４９】
１、１０１、２０１  室内機
１０、１１０、２１０  筐体
１０ｅ、１１０ｅ、２１０ｅ  底板部
１０ｅ1  奥板部
１０ｅ2、１１０ｅ2、２１０ｅ2  傾斜板部
１０ｅ21  吹出口
１３、２１３  受光部
１４、１１４、２１４  スライド機構部
１７  ルーバー
Ｗ  垂直壁
【図１】
2019168165.tif 000003
【図２】
2019168165.tif 000004
【図３】
2019168165.tif 000005
【図４】
2019168165.tif 000006
【図５】
2019168165.tif 000007
【図６】
2019168165.tif 000008
【図７】
2019168165.tif 000009
【図８】
2019168165.tif 000010
【図９】
2019168165.tif 000011
【図１０】
2019168165.tif 000012
【図１１】
2019168165.tif 000013